(57)【要約】【課題】  電車などの車内では傘を手で支えていなければならなく、手が自由に使えなくて不便であった。そこで、本発明の傘支持具をベルトで股に装着し、その支持具の傘ベルトを傘に巻いて止めることで傘は自立し、両手が自由に使えるようにする。【解決手段】  傘ベルト１と股接着曲がり部３は連結していて、傘ベルト１は自在に回転する。股接着曲がり部３の中を通っている股ベルト４を股に巻いて止め、傘支持具８を固定させる。傘を傘ベルト１で巻いて止めると、傘は自立する。  シートに座るときは、傘の上部を手で支えながら座ると、その動作に連動して股接着曲がり部３がほぼ９０度回転し、手を離すと傘は再び自立する。【選択図】図１
2016067859.tif 000002
【特許請求の範囲】
【請求項１】
閉じた傘を巻いて止めることができる回転自在の傘ベルトと、
前記傘ベルトと連結していて、股ベルトを通すための貫通孔を有する股接着曲がり部と、
前記股ベルトの一端あるいは両端に前記股ベルトを股に固定するための股固定具が備えられていることで構成されることを特徴とする傘支持具。
【請求項２】
閉じた傘を巻いて止めることができる回転自在の傘ベルトと、
前記傘ベルトと連結していて、貫通孔を有しない板状股接着曲がり部と、
前記板状股接着曲がり部に固定されている股ベルトの一端あるいは両端に前記股ベルトを股に固定するための股固定具が備えられていることで構成されることを特徴とする傘支持具。
【請求項３】
前記傘ベルトは円柱状の軸によって前記股接着曲がり部と連結していて、傘が自立するように回転することを特徴とする請求項１または２記載の傘支持具。
【発明の詳細な説明】
【技術分野】
【０００１】  本発明は、車内で自分のどちらかの股（もも）に股ベルトを巻いて止め、股ベルトと連結している傘ベルトで傘を巻いて止めることによって傘が自立し、両手が自由に使えるようになる傘支持具に関するものである。
【背景技術】
【０００２】  従来は、電車などで傘を持ってシートに座った場合、傘を片手で支えなければならなく、新聞はもちろん読書もままならず、最近ではスマホもやりにくいのが現状であった。立っているときはもう一方の手で吊革等をつかむと、なにもできないのが常態であった。【０００３】  また、座っている人の中には自分の脇のシ−トに斜めに立てかけている人もいるが前に立っている人や通る人には迷惑であったり、両足で傘を挟んで両手を使っている人や、立っている人の中にはズボンのポケットに傘の柄をかけている人もいるが、かなり無理があったりするのが現状であった。【０００４】  小さな子供の傘を親の傘にまとめて下げる保持具はあった。これはベルトに脱着口がついたものであるが、回転せず（例えば特許文献１参照）、傘の取り扱い・使い勝手が悪かった。
【先行技術文献】
【０００５】
【特許文献１】特開２０１１−１５９３７号  公報
【発明の概要】
【発明が解決しようとする課題】
【０００６】  従来の傘保持具ないし支え具は、股に巻いて座席シートに座ろうとすると、傘の先が前方に跳ね上がってしまうという問題点があった。
【課題を解決するための手段】
【０００７】  そこで、本発明は携帯に便利で簡単に脱着ができ、傘を手から解放できる器具を提供する。
閉じた傘を巻いて止めることができる回転自在の傘ベルトと、前記傘ベルトと連結していて、股ベルトを通すための貫通孔を有する股接着曲がり部と、前記股ベルトの一端あるいは両端に前記股ベルトを股に固定するための股固定具が備えられていることで構成されることを特徴とする傘支持具を提供する。【０００８】  これにより、本発明の傘支持具は、一方の股に股ベルトを巻いて止めることで固定でき、傘を前記股ベルトと連結している傘ベルトで巻いて止めることで傘は回転して自立し、両手が自由に使えるようになるものである。前記股ベルトを通すための貫通孔があるために前記傘ベルトを自由に移動させることができる。【０００９】  股接着曲がり部については、貫通孔を有することは必須ではない。
閉じた傘を巻いて止めることができる回転自在の傘ベルトと、前記傘ベルトと連結していて、貫通孔を有しない板状股接着曲がり部と、前記板状股接着曲がり部に固定されている股ベルトの一端あるいは両端に前記股ベルトを股に固定するための股固定具が備えられていることで構成されることを特徴とする傘支持具でもよい。【００１０】  この板状股接着曲がり部は貫通孔を有するものに比して、より軽くコンパクトであり、使用しないとき閉まっておくのに、より便利であるという効果がある。【００１１】  前記傘ベルトは円柱状の軸によって前記股接着曲がり部と連結していて、傘が自立するように回転することを特徴とする傘支持具を提供する。【００１２】  これにより、前記傘ベルトと前記股接着曲がり部は連結しているが、断面が円形であるためスムーズに自在に回転できるようになっていることで、前記傘ベルトに巻かれて固定されていた傘は常にほぼ垂直に自立し、両手が自由に使えるようになる。
【発明の効果】
【００１３】  本発明を使用することによって、前記傘ベルトが自由に回転し、立っていても座っていても傘を手で支えなければならない煩わしさから解放され、精神面でリラックスできる。さらに、両手が自由になることで、読書をするなりスマホをするなりと、車内でより有意義な時間を過ごすことができる。
また、傘ベルトの部分がプラスチックなどのものに比べて、フレキシブルなのでかさばらなく、ハンドバッグやポケットなどに無理なくしまうことができ、たいへん便利である。
【図面の簡単な説明】
【００１４】
【図１】本発明の第１の実施形態の傘支持具の斜視図
【図２】本発明の第１の実施形態の傘ベルト付近の上面図
【図３】本発明の第２の実施形態の傘支持具（貫通孔のない、弧状で板状のもの）付近の斜視図
【図４】本発明の第２の実施形態の傘ベルト（貫通孔のない、弧状で板状のもの）付近の上面図
【図５】本発明の傘支持具の使用状態（立っている人への適用）を示す外観図
【図６】本発明の傘支持具の使用状態（座わっている人への適用）を示す外観図
【発明を実施するための形態】
【００１５】  以下、本発明の傘支持具８の形態について、図面を利用して説明する。図１は本発明の傘支持具８の斜視図である。
【００１６】  傘ベルト１は、例えば高さ２５〜３５ｍｍ、幅１〜２ｍｍ、長さは傘を巻いても十分余るほどの形をしており、両端に傘固定部２、２がある。この固定部は面ファスナーでもボタンでもよい。また傘ベルト１の一端に設けられたリング部を通って折り返し畳んでもう一端に設けられた固定部、例えばフックとループが隣接して設けられた面ファスナーで固定してもよく（フック部を前記リング部に通し、折り返して前記リング部を通っていないループ部に固定）、付け剥がしないしは止め外しができるものなら何でも可能である。図１では、傘ベルト１の両端は面ファスナーで、一端は内側が固定部（フック）であり、もう一端は外側が固定部（ループ）である。閉じた傘を巻いて止めることができるとは、上記のように傘固定部２、２を用いてベルトを巻いて止めるという意味である。傘ベルトは、例えば中央付近に貫通孔が空いており、後述する軸６を通って回転自在に動くようになっている。傘ベルトの材質は特に限定されないが、例えばナイロンのようなものでフレキシブルなものが望ましい。
【００１７】  股接着曲がり部３は、例えば、曲がり部の曲率は略１３０ｍｍ、高さ略３５ｍｍ、幅（奥行き）略４ｍｍ、長さ略４０〜６０ｍｍの形をしており、中の貫通孔のサイズは股ベルトを通すことができるほどの空間である。この股接着曲がり部３は外側の中央部に固定されている円柱状の軸６によって傘ベルト１と連結しており、傘ベルト１は回転できるようになっている。
股接着曲がり部３の材質は特に限定されないが、プラスチックや耐食性のアルミやチタンなどの金属が好ましい。
【００１８】  公知の技術を用いて、まず貫通孔があり軸６が固定されている股接着曲がり部３を作り、次に孔を空けた傘ベルト１を軸６に通し、傘ベルト１が外れないように軸６の端部を突起物７で接着して製造する。
【００１９】  股接着曲がり部については、必ずしも貫通孔を有することに限定されるとは限らない。この第２の実施形態の傘支持具については、例えば、股ベルトの幅に見合う幅の、中央に軸６が設けられている、例えば弧状で板状のものでも可能である。股ベルト４の然るべき位置に軸６に見合う孔を空け、その孔を軸６にはめ固定し、図３・４に示すように股ベルト４と例えば弧状の板状股接着曲がり部３−１が接する部分を接着剤で接着固定することでもよい。
【００２０】  股ベルト４は、例えば、高さ略２５ｍｍ、幅略１ｍｍ、長さは成人のやや太めの股に巻いても十分余るほどの形をしており、両端に股固定部５、５がある。股固定部５、５は面ファスナーでもボタンでもよい。また股ベルト４の一端に設けられたリング部を通って折り返し畳んでもう一端に設けられた股固定部５、例えばフックとループが隣接して設けられた面ファスナーで固定してもよく（フック部を前記リング部に通し、折り返して前記リング部を通っていないループ部に固定）、付け剥がしないしは止め外しができるものなら何でも可能である。
図１では、股ベルト４の両端は面ファスナーで、一端は内側が股固定部（フック）５であり、もう一端は外側が股固定部（ル−プ）５である。
股ベルトの材質は前記傘ベルトの材質と同様のものでよい。
【００２１】  図２は、本発明の傘ベルト１付近の上面図である。傘ベルト１と股接着曲がり部３の連結部の軸６は、外径略１６ｍｍの円柱状のもので、例えば股接着曲がり部３に固定しているが、傘ベルト１には固定しておらず、傘ベルト１は傘ベルト１に空けられた孔を中心に回転する。
軸６の端部に設けられた突起物７により傘ベルト１は股接着曲がり部３から外れないようになっている。
【００２２】  以下、本発明の傘支持具８の使用方法について、図１を利用して説明する。
【００２３】（イ）傘支持具８の股接着曲がり部３を股に当て、股ベルト４を股に巻いて股ベルト４の両端の股固定部５、５を用いて股に固定する。
（ロ）傘支持具８の傘ベルト１を、傘を巻きやすいように回転させ、立てた傘を傘ベルト１で巻いて傘固定部２、２を用いて固定すると、傘は自立する。自立するとは、傘の先端が床についているとき傘自身の重さでほぼ垂直に立ち、立っている状態から座るときにも傘はほぼ垂直のままで、股接着曲がり部３が回転することで、傘がそのまま立ち続けることをいう。
（ハ）人が立っている状態からシ−トでの座位になるときは、自立している傘の上部を少し持ち上げながら座るだけで、股接着曲がり部３が座る動作と連動して回転し、手を離すと傘は再び自立する。
【００２４】  図５は、人が立っている状態で傘支持具８を、傘ベルト１が左脚の股の外側に来るように股ベルト４を巻いて股固定部５、５で止めて固定し、傘を支持具８の傘ベルト１で巻き傘固定部２、２で止めて固定しているところの外観図である。
【００２５】  図６は、人が座席シ−トに座っている状態で傘支持具８を、傘ベルト１が左脚の股の外側に来るように傘ベルト１を左脚の股に巻いて傘固定部２、２で止め、傘を支持具８の傘ベルト１で巻き傘固定部２、２で止めて固定しているところの外観図である。
【００２６】  また、股の外側から内側に傘ベルト１を移動させるときは、傘を一旦外し、股接着曲がり部３に貫通孔があることで傘ベルト１を内側に容易に移動させることができる。その後、傘を再び差し込めばよい。
【００２７】  第２の実施形態の傘支持具の場合、股の外側から内側に傘ベルトを移動させるときは、傘を一旦外し、板状股接着曲がり部を手で内側に移動させる。その後傘を巻いて止めることで可能となる。
【００２８】  さらに、本発明の傘支持具８が一時不用になったとき、傘を傘支持具８の傘ベルト１からはずし、傘支持具８はそのまま股に巻いて止めておくだけでもよく、また股ベルト４の固定部５、５をはずし、傘支持具８を傘と一緒にしておてもよい。
傘ベルト１と股ベルト４はフレキシブルなので変形しやすく、ハンドバッグやポケットなどにさっと収納できるので、場所を取らず簡便である。
【符号の説明】
【００２９】１      本発明の傘支持具８の傘ベルト
２      傘ベルトの固定部
３      股接着曲がり部（貫通孔部あり）
３−１  股接着曲がり部（貫通孔部なし）
４      股ベルト
５      股ベルトの固定部
６      軸
７      突起物
８      傘支持具
【図１】
2016067859.tif 000003
【図２】
2016067859.tif 000004
【図３】
2016067859.tif 000005
【図４】
2016067859.tif 000006
【図５】
2016067859.tif 000007
【図６】
2016067859.tif 000008